【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
母シーケンスに基づいて復調基準信号(DMRS)シーケンスを決定するステップと、
前記DMRSシーケンスを、送信の中のリソースブロック(RB)のセットの少なくとも1つのシンボルにマッピングするステップと、
RBの前記セットの前記少なくとも1つのシンボルにおいて、前記マッピングされたDMRSシーケンスを含むDMRSを送信するステップとを備え、
前記DMRSシーケンスがダウンリンクDMRSのための前記母シーケンスの第1のシフトに基づき、前記DMRSシーケンスがアップリンクDMRSのための前記母シーケンスの第2のシフトに基づく、方法。
【請求項２】
前記DMRSシーケンスが、コム構造における第1のシンボルの中のサブキャリアにマッピングされる、請求項1に記載の方法。
【請求項３】
前記DMRSシーケンスが、ダウンリンクDMRSのためのコム構造の中のサブキャリアの第1のセットにマッピングされ、前記DMRSシーケンスが、アップリンクDMRSのためのコム構造の中のサブキャリアの異なるセットにマッピングされる、請求項2に記載の方法。
【請求項４】
前記DMRSシーケンスが、シングルキャリア周波数分割多重化(SC-FDM)のためのアップリンクDMRSにおけるコム構造の中のサブキャリアの第1のセットにマッピングされ、前記DMRSシーケンスが、直交周波数分割多重化(OFDM)のためのアップリンクDMRSにおけるコム構造の中のサブキャリアの異なるセットにマッピングされる、請求項2に記載の方法。
【請求項５】
前記DMRSシーケンスが前記母シーケンスのある区分に基づき、前記区分が割り振られたRBに基づく、請求項1に記載の方法。
【請求項６】
前記母シーケンスに基づいて前記DMRSシーケンスを決定する前記ステップが、
前記母シーケンスを複数の第1の区分へと分割するステップと、
第1の閾値に基づいて前記複数の第1の区分の各々の第1の区分をクリッピングするステップと、
前記クリッピングの後で前記複数の第1の区分の各々の第1の区分をフィルタリングして複数の第2の区分の各々の第2の区分を形成するステップとを備える、請求項1に記載の方法。
【請求項７】
前記母シーケンスに基づいて前記DMRSシーケンスを決定する前記ステップがさらに、
第2の閾値に基づいて各々の第2の区分をクリッピングするステップと、
各々の第2の区分をクリッピングした後で各々の第2の区分をフィルタリングするステップとを備える、請求項6に記載の方法。
【請求項８】
各々の第1の区分と関連付けられるそれぞれのピーク対平均電力比(PAPR)がPAPR閾値以下である、請求項6に記載の方法。
【請求項９】
RBの前記セットの前記少なくとも1つのシンボルが前記送信の第1のシンボルである、請求項1に記載の方法。
【請求項１０】
前記送信が、アップリンク送信またはダウンリンク送信のうちの1つである、請求項1に記載の方法。
【請求項１１】
前記第2のシフトが前記第1のシフトと等価であり、または前記第2のシフトが前記第1のシフトと異なる、請求項1に記載の方法。
【請求項１２】
ワイヤレス通信のための装置であって、
メモリと、
前記メモリに結合された少なくとも1つのプロセッサとを備え、前記少なくとも1つのプロセッサが、
母シーケンスに基づいて復調基準信号(DMRS)シーケンスを決定し、
前記DMRSシーケンスを、送信の中のリソースブロック(RB)のセットの少なくとも1つのシンボルにマッピングし、
RBの前記セットの前記少なくとも1つのシンボルにおいて、前記マッピングされたDMRSシーケンスを含むDMRSを送信する
ように構成され、
前記DMRSシーケンスがダウンリンクDMRSのための前記母シーケンスの第1のシフトに基づき、前記DMRSシーケンスがアップリンクDMRSのための前記母シーケンスの第2のシフトに基づく、装置。
【請求項１３】
前記DMRSシーケンスが、コム構造における第1のシンボルの中のサブキャリアにマッピングされる、請求項12に記載の装置。
【請求項１４】
前記DMRSシーケンスが、ダウンリンクDMRSのためのコム構造の中のサブキャリアの第1のセットにマッピングされ、前記DMRSシーケンスが、アップリンクDMRSのためのコム構造の中のサブキャリアの異なるセットにマッピングされる、請求項13に記載の装置。
【請求項１５】
前記DMRSシーケンスが、シングルキャリア周波数分割多重化(SC-FDM)のためのアップリンクDMRSにおけるコム構造の中のサブキャリアの第1のセットにマッピングされ、前記DMRSシーケンスが、直交周波数分割多重化(OFDM)のためのアップリンクDMRSにおけるコム構造の中のサブキャリアの異なるセットにマッピングされる、請求項13に記載の装置。
【請求項１６】
前記DMRSシーケンスが前記母シーケンスのある区分に基づき、前記区分が割り振られたRBに基づく、請求項12に記載の装置。
【請求項１７】
前記母シーケンスに基づく前記DMRSシーケンスの前記決定が、
前記母シーケンスを複数の第1の区分へと分割することと、
第1の閾値に基づいて前記複数の第1の区分の各々の第1の区分をクリッピングすることと、
前記クリッピングの後で前記複数の第1の区分の各々の第1の区分をフィルタリングして複数の第2の区分の各々の第2の区分を形成することとを備える、請求項12に記載の装置。
【請求項１８】
前記第2のシフトが前記第1のシフトと等価であり、または前記第2のシフトが前記第1のシフトと異なる、請求項12に記載の装置。
【請求項１９】
ワイヤレス通信の装置であって、
母シーケンスに基づいて復調基準信号(DMRS)シーケンスを決定するための手段と、
前記DMRSシーケンスを、送信の中のリソースブロック(RB)のセットの少なくとも1つのシンボルにマッピングするための手段と、
RBの前記セットの前記少なくとも1つのシンボルにおいて、前記マッピングされたDMRSシーケンスを含むDMRSを送信するための手段とを備え、
前記DMRSシーケンスがダウンリンクDMRSのための前記母シーケンスの第1のシフトに基づき、前記DMRSシーケンスがアップリンクDMRSのための前記母シーケンスの第2のシフトに基づく、装置。
【請求項２０】
前記DMRSシーケンスが、コム構造における第1のシンボルの中のサブキャリアにマッピングされる、請求項19に記載の装置。
【請求項２１】
前記DMRSシーケンスが、ダウンリンクDMRSのためのコム構造の中のサブキャリアの第1のセットにマッピングされ、前記DMRSシーケンスが、アップリンクDMRSのためのコム構造の中のサブキャリアの異なるセットにマッピングされる、請求項20に記載の装置。
【請求項２２】
前記DMRSシーケンスが、シングルキャリア周波数分割多重化(SC-FDM)のためのアップリンクDMRSにおけるコム構造の中のサブキャリアの第1のセットにマッピングされ、前記DMRSシーケンスが、直交周波数分割多重化(OFDM)のためのアップリンクDMRSにおけるコム構造の中のサブキャリアの異なるセットにマッピングされる、請求項20に記載の装置。
【請求項２３】
前記DMRSシーケンスが前記母シーケンスのある区分に基づき、前記区分が割り振られたRBに基づく、請求項19に記載の装置。
【請求項２４】
前記母シーケンスに基づいて前記DMRSシーケンスを決定するための手段が、
前記母シーケンスを複数の第1の区分へと分割するための手段と、
第1の閾値に基づいて前記複数の第1の区分の各々の第1の区分をクリッピングするための手段と、
前記クリッピングの後で前記複数の第1の区分の各々の第1の区分をフィルタリングして複数の第2の区分の各々の第2の区分を形成するための手段とを備える、請求項19に記載の装置。
【請求項２５】
前記母シーケンスに基づいて前記DMRSシーケンスを決定するための手段がさらに、
第2の閾値に基づいて各々の第2の区分をクリッピングするための手段と、
各々の第2の区分をクリッピングした後で各々の第2の区分をフィルタリングするための手段とを備える、請求項24に記載の装置。
【請求項２６】
各々の第1の区分と関連付けられるそれぞれのピーク対平均電力比(PAPR)がPAPR閾値以下である、請求項24に記載の装置。
【請求項２７】
RBの前記セットの前記少なくとも1つのシンボルが前記送信の第1のシンボルである、請求項19に記載の装置。
【請求項２８】
前記送信が、アップリンク送信またはダウンリンク送信のうちの1つである、請求項19に記載の装置。
【請求項２９】
前記第2のシフトが前記第1のシフトと等価であり、または前記第2のシフトが前記第1のシフトと異なる、請求項19に記載の装置。
【請求項３０】
ワイヤレス通信のコンピュータ実行可能コードを記憶した非一時的コンピュータ可読記憶媒体であって、前記コンピュータ実行可能コードが、
母シーケンスに基づいて復調基準信号(DMRS)シーケンスを決定するコードと、
前記DMRSシーケンスを、送信の中のリソースブロック(RB)のセットの少なくとも1つのシンボルにマッピングするコードと、
RBの前記セットの前記少なくとも1つのシンボルにおいて、前記マッピングされたDMRSシーケンスを含むDMRSを送信するコードとを備え、
前記DMRSシーケンスがダウンリンクDMRSのための前記母シーケンスの第1のシフトに基づき、前記DMRSシーケンスがアップリンクDMRSのための前記母シーケンスの第2のシフトに基づく、非一時的コンピュータ可読記憶媒体。
【請求項３１】
前記第2のシフトが前記第1のシフトと等価であり、または前記第2のシフトが前記第1のシフトと異なる、請求項30に記載の非一時的コンピュータ可読記憶媒体。